(57)【特許請求の範囲】
【請求項１】
着用者の排泄口と対向する排泄口当接域と、
前記排泄口当接域よりも後方に位置する後側域と、
前記排泄口当接域と前記後側域に配置される吸収コアと、を有する吸収性物品であって、
前記後側域の前記吸収コアには、前記後側域の前記吸収コアの幅方向の中央が着用者側に凸状に曲がることができるように構成された第１曲部と、前記後側域の前記吸収コアが厚み方向に曲がる変形基点を構成し、かつ幅方向に延びる第２曲部と、が設けられており、
前記第２曲部の外側縁は、前記後側域の前記吸収コアの外側縁よりも幅方向の内側に位置し、
前記第２曲部は、前記吸収コアを厚み方向に圧搾した圧搾部によって構成されており、前記幅方向に対して傾斜して延びる、吸収性物品。
【請求項２】
前記第２曲部の外側縁は、前記後側域の前記吸収コアの外側縁よりも前記幅方向の内側に位置し、
前記第２曲部よりも幅方向の外側、かつ前記吸収コアの外側縁よりも幅方向の内側には、前記吸収コアを厚み方向に圧搾し、かつ前後方向に延びる後側圧搾部が設けられている、請求項1に記載の吸収性物品。
【請求項３】
前記吸収コアは、前記排泄口当接域と前記後側域の間において前記幅方向に延びる幅スリットを有する、請求項１又は請求項２に記載の吸収性物品。
【請求項４】
前記第２曲部は、前後方向に間隔を空けて複数設けられている、請求項１から請求項３のいずれかに記載の吸収性物品。
【請求項５】
前記第２曲部は、前記第１曲部から前記幅方向の外側に向かうにつれて前側に延びる、請求項１から請求項３のいずれかに記載の吸収性物品。
【請求項６】
前記吸収コアよりも肌対向面側に位置する肌面シートと、
前記吸収コアよりも非肌対向面側に位置する非肌面シートと、を有し、
前記第１曲部に重なる領域の前記肌面シートと前記非肌面シートの間には、吸収材料が配置されていない、請求項１から請求項５のいずれかに記載の吸収性物品。
【請求項７】
前記吸収コアよりも非肌対向面側に位置する非肌面シートを備え、
前記非肌面シートの非肌対向面には、前記吸収性物品を下着に止めるための粘着剤が塗布された粘着領域が設けられており、
前記第１曲部は、厚み方向において前記粘着領域に重ならない、請求項１から請求項５のいずれかに記載の吸収性物品。
【請求項８】
前記後側域には、前記排泄口当接域の前記吸収コアの外側縁よりも幅方向の外側に延出するヒップフラップが設けられる、請求項１から請求項７のいずれかに記載の吸収性物品。
【請求項９】
前記ヒップフラップには、前記幅方向の外側に向かって突出する凸形状のヒップフラップ圧搾部が設けられる、請求項８に記載の吸収性物品。
【請求項１０】
前記排泄口当接域は、前記吸収コアの外側縁よりも前記幅方向の内側に位置する中高部を有し、
前記中高部の厚みは、前記排泄口当接域における前記吸収コアの外側縁の厚みよりも厚い、請求項１から請求項９のいずれかに記載の吸収性物品。
【発明の詳細な説明】
【技術分野】
【０００１】
本発明は、生理用ナプキン等の吸収性物品に関する。
【背景技術】
【０００２】
特許文献１には、肌当接面側に隆起する中高部と、中高部の幅方向の両外側に設けられ、かつ表面シートと吸収体を圧搾した防漏溝と、を有する吸収性物品が開示されている。吸収性物品の排泄口当接域は、着用された状態で着用者の脚によって挟まれ、幅方向の内側に向かう力が掛かる。特許文献１の吸収性物品に幅方向の内側に向かう力が掛かると、防漏溝が着用者の股下肌側へ折れ曲がり、これに伴って吸収体の中高部が隆起する（特許文献１の段落００１６参照）。
【先行技術文献】
【特許文献】
【０００３】
【特許文献１】特開２０１２−２３９７２２号公報
【発明の概要】
【発明が解決しようとする課題】
【０００４】
しかし、上述した吸収性物品には、以下の問題点がある。
着用者の臀部近傍の幅方向に沿った身体の断面形状は、左右の臀部が膨らみ、この臀部間が窪んだ形状である。特許文献１の中高部は、排泄口当接域から後方に延びているため、排泄口当接域の吸収体が隆起すると、後側域の吸収体も隆起する。特許文献１の後側域の中高部は、目付が高く構成されているため、着用者側に隆起した際に隆起する厚みが厚くなり、身体の臀部の窪みに沿って配置され難い。その結果、着用者の臀部と吸収性物品との間に隙間が生じ、漏れが発生することがあった。
【０００５】
また、着用者の前後方向に沿った身体の断面形状は、排泄口当接域から後方にかけて丸みを帯びた形状である。後側域の吸収コアが、身体の丸みに沿って配置されないと、後漏れが発生することがあった。
【０００６】
本発明は、上述の課題に鑑みてなされたものであり、着用者の臀部に対して吸収コアをフィットさせ、漏れを抑制できる吸収性物品を提供することを目的とする。
【課題を解決するための手段】
【０００７】
上述した課題を解決するため、本開示に係る吸収性物品（吸収性物品１）は、着用者の排泄口と対向する排泄口当接域（排泄口当接域Ｓ１）と、前記排泄口当接域よりも後側に位置する後側域（後側域Ｓ２）と、前記排泄口当接域と前記後側域に配置される吸収コア（吸収コア３１）と、を有する吸収性物品であって、前記後側域の吸収コアには、前記吸収コアの幅方向の中央に配置され、前記吸収性物品の前後方向に延びる前後スリット（前後スリット４２）と、前記前後スリットに連なり、かつ前記前後スリットから幅方向の外側に延びる補助スリット（補助スリット４３）と、が設けられており、前記補助スリットの外側縁（外側縁４３Ｅ）は、前記後側域の吸収コアの外側縁（外側縁３１Ｅ）よりも幅方向の内側に位置することを要旨とする。
【０００８】
また、本開示に係る吸収性物品（吸収性物品１）は、着用者の排泄口と対向する排泄口当接域（排泄口当接域Ｓ１）と、前記排泄口当接域よりも後側に位置する後側域（後側域Ｓ２）と、前記排泄口当接域と前記後側域に配置される吸収コア（吸収コア３１）と、を有する吸収性物品であって、前記後側域の吸収コアには、前記後側域の吸収コアの幅方向の中央が着用者側に凸状に曲がることができるように構成された第１曲部（前後スリット４２）と、前記後側域の吸収コアが厚み方向に曲がる変形基点を構成し、かつ幅方向に延びる第２曲部（補助スリット４３）と、が設けられており、前記第２曲部の外側縁（外側縁４３Ｅ）は、前記吸収コアの外側縁（外側縁３１Ｅ）よりも幅方向の内側に位置することを要旨とする。
【発明の効果】
【０００９】
本発明によれば、着用者の臀部に対して吸収コアをフィットさせ、漏れを抑制できる吸収性物品を提供することができる。
【図面の簡単な説明】
【００１０】
【図１】実施形態に係る吸収性物品の平面図である。
【図２】図１に示す吸収性物品の背面図である。
【図３】図１に示すＡ−Ａ断面の模式断面図である。
【図４】図１に示す吸収性物品１の着用者に装着された状態の断面図である。
【図５】図１に示す吸収性物品１の着用者に装着された状態の断面図である。
【発明を実施するための形態】
【００１１】
（１）吸収性物品の全体構成
図１乃至図３を参照して、実施形態に係る吸収性物品１の全体構成について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１２】
図１は、吸収性物品の平面図であり、図２は、吸収性物品の背面図である。図３は、図１に示すＡ−Ａ断面図である。本実施形態に係る吸収性物品１は、夜用の生理用ナプキンである。
【００１３】
吸収性物品１は、着用者の前側（腹側）及び後側（背側）に延びる前後方向Ｌと、前後方向Ｌと直交する幅方向Ｗと、着用者の肌対向面側Ｔ１及び非肌対向面側Ｔ２に延びる厚み方向Ｔと、を有する。
【００１４】
吸収性物品は、着用者の排泄口当接域に配置される排泄口当接域Ｓ１と、排泄口当接域Ｓ１の後側に位置する後側域Ｓ２と、排泄口当接域Ｓ１の前側に位置する前側域Ｓ３と、を有する。後側域Ｓ２の前後方向Ｌの長さは、排泄口当接域Ｓ１の前後方向Ｌの長さよりも長い。排泄口当接域Ｓ１は、下着に装着された状態で、下着の股下部に装着される領域である。排泄口当接域Ｓ１には、後述するウイングが配置される。排泄口当接域Ｓ１と後側域Ｓ２の境界は、後述する幅スリット４１である。幅スリット４１の前端縁は、排泄口当接域Ｓ１の後端縁であり、幅スリット４１の後端縁は、後側域Ｓ２の前端縁である。また、後側域Ｓ２の後端縁は、吸収性物品１の後端縁である。排泄口当接域Ｓ１と前側域Ｓ３の境界は、ウイング３の前端縁である。ウイング３の前端縁は、ウイング３の付け根であり、ウイング３において最も幅方向の内側に窪んだ部分のうち、前側に位置する部分である。ウイング３の前側の付け根は、排泄口当接域Ｓ１の前端縁であり、かつ前側域Ｓ３の後端縁である。また、前側域Ｓ３の前端縁は、吸収性物品１の前端縁である。図３において、排泄口当接域Ｓ１、後側域Ｓ２及び前側域Ｓ３の前後方向の範囲を示す。
【００１５】
吸収性物品１は、吸収体３０、吸収体３０よりも肌対向面側Ｔ１に位置する肌面シート１０、及び吸収体３０よりも非肌対向面側Ｔ２に位置する非肌面シート２０を備える。肌面シート１０は、吸収体３０の少なくとも幅方向中央を覆う液透過性の表面シート１１と、表面シート１１の外側縁（幅方向の外側端部）を覆い、幅方向の外側に延出するサイドシート１２と、を有する。非肌面シート２０は、液不透過性のシートである。
【００１６】
表面シート１１は、体液等の液体を透過する液透過性のシートである。表面シート１１は、少なくとも吸収体３０の表面を覆う。表面シート１１は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１７】
サイドシート１２は、表面シート１１と同様の材料から選ぶことができる。但し、サイドシート１２を乗り越えて吸収性物品１の外方へ経血が流れることを防止するためには、サイドシート１２は、疎水性又は撥水性を有することが好ましい。サイドシート１２は、吸収体３０の外側縁、ウイング３及びヒップフラップ４に配置されている。
【００１８】
非肌面シート２０は、肌面シート１０の長さと略同一の長さを有する。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００１９】
吸収体３０は、吸収材料が積層された吸収コア３１と、吸収コア３１を覆うコアラップ３２と、を有する。吸収材料は、例えば、親水性繊維、パルプ、及びＳＡＰを例示できる。なお、本実施の形態の吸収体３０は、吸収コア３１の後端縁とコアラップ３２の後端縁が略一致している。
【００２０】
吸収コア３１は、排泄口当接域Ｓ１と後側域Ｓ２に配置される。なお、吸収コア３１は、排泄口当接域Ｓ１と後側域Ｓ２のそれぞれに分断された状態で配置されていてもよいし、排泄口当接域Ｓ１と後側域Ｓ２に跨って配置されていてもよい。また、吸収コア３１は、少なくとも排泄口当接域Ｓ１と後側域Ｓ２に配置されていればよく、排泄口当接域Ｓ１、後側域Ｓ２及び前側域Ｓ３に配置されていてもよい。
【００２１】
吸収コア３１は、吸収コア３１の外側縁３１Ｅよりも幅方向の内側に位置する中高部３３を有する。中高部３３は、排泄口当接域Ｓ１内に位置し、排泄口当接域Ｓ１の吸収コア３１の外側縁３１Ｅよりも幅方向の内側に位置する。中高部３３の厚さは、排泄口当接域Ｓ１における吸収コア３１の外側縁３１Ｅの厚さよりも厚い。中高部３３の吸収材料の目付は、排泄口当接域Ｓ１における吸収コア３１の外側縁３１Ｅの吸収材料の目付よりも高い。中高部３３は、排泄口当接域Ｓ１内の後側に位置し、幅スリット４１に隣接している。本実施の形態の中高部３３の外側縁には、吸収体３０と肌面シート１０が厚み方向に圧縮された圧搾部８０が設けられている。
【００２２】
吸収コア３１は、幅スリット４１、前後スリット４２、及び補助スリット４３を有する。吸収コア３１は、幅スリット４１、前後スリット４２、及び補助スリット４３は、吸収コア３１が厚み方向Ｔに曲がることができるように構成されている。
【００２３】
幅スリット４１、前後スリット４２及び補助スリット４３の吸収材料の目付は、周囲の吸収コア３１の吸収材料の目付よりも低い。周囲の吸収コア３１とは、幅スリット等に隣接する領域の吸収コアであり、例えば、排泄口当接域Ｓ１において幅スリット４１に隣接する吸収コア、及び後側域Ｓ２において幅スリット４１に隣接する吸収コアである。なお、幅スリット４１、前後スリット４２及び補助スリット４３は、吸収材料の目付が周囲の吸収コア３１よりも低い領域であればよく、目付が０の領域であってもよいし、設計上の目付が０であるが、周囲の吸収コア３１から混入した吸収材料が配置された領域であってもよい。
【００２４】
本実施の形態の幅スリット４１、前後スリット４２、及び補助スリット４３は、設計上の目付が０である。よって、厚み方向Ｔにおいて幅スリット４１に重なる領域、前後スリット４２に重なる領域、及び補助スリット４３に重なる領域において、肌面シート１０と非肌面シート２０の間には、吸収材料が配置されていない。また、厚み方向Ｔにおいて幅スリット４１に重なる領域、前後スリット４２に重なる領域、及び補助スリット４３に重なる領域において、肌面シート１０と非肌面シート２０とは接合されていない。
【００２５】
また、幅スリット４１に重なる領域、前後スリット４２に重なる領域、及び補助スリット４３に重なる領域において、吸収コア３１の肌対向面側に位置するコアラップ３２と吸収コア３１の非肌面側に位置するコアラップ３２とは、接合されていてもよいし、接合されていなくてもよい。例えば、吸収コア３１の肌対向面側に位置するコアラップ３２と吸収コア３１の非肌対向面側に位置するコアラップ３２とが接合されている構成によれば、吸収コア３１の型崩れを抑制できる。また、幅スリット４１に重なる領域、前後スリット４２に重なる領域、及び補助スリット４３に重なる領域において、表面シート１１とコアラップ３２とは、接合されていてもよいし、接合されていなくてもよい。加えて、幅スリット４１に重なる領域、前後スリット４２に重なる領域、及び補助スリット４３に重なる領域において、非肌面シート２０とコアラップ３２とは、接合されていてもよいし、接合されていなくてもよい。
【００２６】
幅スリット４１、前後スリット４２及び補助スリット４３は、剛性が変化する境界となる。具体的には、例えば、幅スリット４１よりも前側の領域の剛性と、幅スリット４１よりも後側の領域の剛性と、は、異なる。より詳細には、幅スリット４１よりも前側の領域の吸収材料の目付は、幅スリット４１の吸収材料の目付よりも高い。また、幅スリット４１よりも後側の領域の吸収材料の目付は、幅スリット４１の吸収材料の目付よりも高い。
【００２７】
幅スリット４１は、排泄口当接域Ｓ１と後側域Ｓ２の間において幅方向Ｗに延びる。幅スリット４１、少なくとも幅方向に延びていればよく、幅方向に平行な直線状であってもよいし、幅方向に平行でなく、幅方向に対して傾斜した直線状又は曲線状であってもよい。本実施の形態の幅スリットは、幅スリット４１の幅方向の中央が後方に突出した曲線形状である。より詳細には、幅スリット４１の幅方向の中心は、幅スリット４１の外側縁よりも後方に位置する。幅スリット４１の幅方向の中心は、後方に向かう凸状である。なお、幅スリットの前後方向における長さは、一定であってもよいし、変化していてもよい。また、幅スリットの前後方向の長さは、１０ｍｍ以上かつ５０ｍｍ以下であり、より好ましくは、幅スリットの前後方向の長さは、１０ｍｍ以上かつ３０ｍｍ以下である。
【００２８】
例えば、幅スリット４１の前後方向の長さが１０ｍｍ未満の場合には、幅スリット４１の前側の動きと幅スリット４１の後側の動きとを緩衝し、又は分断する作用を十分に得ることができないことがある。また、幅スリット４１の前後方向の長さが５０ｍｍを超える場合には、幅スリット４１の前側の動きと幅スリット４１の後側の動きとを緩衝し、又は分断する作用が大きくなる一方、吸収性物品としての安心感が低減することがある。
【００２９】
また、幅スリット４１の幅方向の長さは、２５ｍｍ以上であることが好ましい。一般的に、夜用の生理用ナプキンの中高部３３の幅方向の長さ（目付が比較的高い部分の幅方向の長さ）は、２５ｍｍ以上３０ｍｍ以下であることが多い。例えば、中高部３３が排泄口当接域Ｓ１と後側域Ｓ２に連続して形成されていると、当該中高部によって排泄口当接域Ｓ１の動きが後側域Ｓ２に連動することがある。しかし、幅スリット４１の幅方向の長さが２５ｍｍ以上であることにより、中高部３３を前後方向で分断し、排泄口当接域Ｓ１の動きが後側域Ｓ２に連動することを抑制できる。
【００３０】
幅スリット４１は、吸収コア３１の幅方向の全域に形成されていてもよいし、吸収コアの幅方向の一部の領域に形成されていてもよい。本実施の形態の幅スリット４１は、吸収コア３１の幅方向全域に形成されている。幅スリット４１の外側縁４１Ｅの外側縁４１Ｅは、吸収コア３１の外側縁３１Ｅに位置する。よって、排泄口当接域Ｓ１の吸収コア３１と後側域Ｓ２の吸収コア３１とは、幅スリット４１によって前後方向に分断されている。なお、本実施の形態の吸収体３０は、吸収コア３１の外側縁と吸収体３０の外側縁が略一致している。よって、図面上、幅スリット４１の外側縁４１Ｅは、吸収体３０の外側縁と一致するように示す。
【００３１】
前後スリット４２は、後側域Ｓ２において前後方向Ｌに延びる。前後スリット４２、少なくとも前後方向に延びていればよく、前後方向に平行な直線状であってもよいし、前後方向に平行でなく、前後方向に対して傾斜した直線状又は曲線状であってもよい。前後スリット４２は、後側域Ｓ２の吸収コア３１の前後方向Ｌの全域に形成されていてもよいし、後側域Ｓ２の吸収コア３１の前後方向の一部の領域に形成されていてもよい。本実施の形態の前後スリット４２は、後側域Ｓ２の吸収コアの前後方向Ｌの全域に形成されている。よって、後側域Ｓ２の吸収コア３１は、前後スリット４２によって幅方向に分断されている。
【００３２】
また、前後スリット４２の前端縁は、ウイング３の前後方向の中心３ＬＣから３０ｍｍ後方の位置よりも後方に位置することが好ましい。また、前後スリット４２の後端縁は、ウイング３の前後方向の中心３ＬＣから２００ｍｍ後方の位置よりも後方に位置することが好ましい。前後スリット４２の前後方向の長さは、１５０ｍｍ以上であることが好ましい。着用者の身体の前後方向に沿った断面において、臀部間の溝は、会陰部を越えた辺りからはじまり、尾てい骨に至るまで存在する。このような前後スリット４２によれば、前後スリットを頂点とした凸状の変形が臀部間の溝に配置され易くなる。
【００３３】
また、前後スリット４２の幅方向の長さは、１ｍｍ以上かつ１５ｍｍ以下である。例えば、前後スリット４２の幅方向の長さが１ｍｍ未満の場合には、前後スリット４２を頂点として凸状に変形した際に、幅スリットを挟んで配置された吸収コア３１同士が干渉し、安定的に凸状に変形し難くなる。また、前後スリット４２の幅方向の長さが１５ｍｍを超える場合には、前後スリット４２を頂点とした凸状の変形部分が臀部間の隙間に配置された際に、凸状の変形部分に吸収コアが存在しないため、体液の吸収が疎かになってしまうことがある。
【００３４】
後側域Ｓ２の吸収コア３１は、第１領域３１１、第１領域３１１の幅方向の外側にそれぞれ位置する第２領域３１２及び第３領域３１３を有する。図１に、第１領域３１１、第２領域３１２及び第３領域３１３の幅方向の範囲を示す。第１領域３１１、第２領域３１２及び第３領域３１３は、後側域Ｓ２の吸収コア３１を幅方向において３等分した領域である。第１領域３１１は、３等分した領域のうち幅方向中央に位置する領域である。第２領域３１２は、３等分した領域のうち幅方向の一方の側部に位置する領域である。第３領域３１３は、３等分した領域のうち幅方向の他方の側部に位置する領域である。なお、後側域Ｓ２の吸収コアの幅方向の長さが変化する構成にあっては、幅スリット４１に隣接する吸収コア３１を幅方向において３等分した領域とする。
【００３５】
前後スリット４２は、第１領域３１１に設けられている。前後スリット４２は、吸収性物品１の幅方向Ｗの中心に配置されていてもよい。前後スリット４２は、後側域Ｓ２の吸収コア３１が厚み方向Ｔに曲がることができるように構成され、より詳細には、後側域Ｓ２の吸収コア３１が着用者側に隆起できるように構成されている。前後スリット４２は、第１曲部を構成する。
【００３６】
幅スリット４１と前後スリット４２とは、連なっている。よって、平面視にて、排泄口当接域Ｓ１の吸収コア３１と、後側域Ｓ２の幅方向Ｗの一方側の吸収コア３１（例えば、着用者の左側に位置する吸収コア）と、後側域Ｓ２の幅方向Ｗの他方側の吸収コア３１（例えば、着用者の右側に位置する吸収コア）とは、分断されている。なお、幅スリット４１と前後スリット４２とは、離間していてもよい。
【００３７】
補助スリット４３は、前後スリット４２に連なり、かつ前後スリット４２から幅方向Ｗの外側に延びる。補助スリット４３は、少なくとも幅方向に延びていればよく、幅方向に平行な直線状であってもよいし、幅方向に平行でなく、幅方向に対して傾斜した直線状又は曲線状であってもよい。補助スリット４３は、前後スリット４２の幅方向の両側にそれぞれ延びている。補助スリット４３は、前後方向Ｌに間隔を空けて複数設けられている。補助スリット４３の外側縁４３Ｅは、後側域Ｓ２の吸収コア３１の外側縁３１Ｅよりも幅方向Ｗの内側に位置する。すなわち、補助スリット４３の幅方向の外側には、吸収材料が配置されている。なお、補助スリット４３は、後側域Ｓ２の吸収コア３１の外側縁３１Ｅまで延びていてもよい。補助スリット４３は、幅方向Ｗの内側（前後スリット４２側）から幅方向Ｗの外側に向かうにつれて前側に延びる。
【００３８】
補助スリット４３は、後側域Ｓ２の吸収コア３１が厚み方向に曲がる変形基点を構成するように構成されている。補助スリット４３は、第２曲部を構成する。なお、第１曲部及び第２曲部は、前後スリットのみならず、他の構成によって構成されていてもよい。例えば、第１曲部及び第２曲部は、少なくとも吸収コアを厚み方向に圧搾した圧搾部によって構成されていてもよいし、吸収コアの目付が周囲と異なることによって剛性が異なる領域によって構成されていてもよいし、凹部と凸部のかみ合わせによって成形されたエンボスによって構成されていてもよい。
【００３９】
吸収性物品には、少なくとも吸収コアが厚み方向に圧搾された圧搾部８０が設けられている。圧搾部８０は、前側圧搾部８１と、後側圧搾部８２と、ヒップフラップ圧搾部８３と、を有する。前側圧搾部８１は、排泄口当接域Ｓ１と前側域Ｓ３に配置されており、吸収体３０と表面シート１１とが厚み方向に圧縮されている。前側圧搾部８１は、排泄口当接域Ｓ１の幅方向の中心よりも幅方向の両外側において前後方向に延びる。前側圧搾部８１の前端縁は、前側に向かって先細る先細り形状である。
【００４０】
後側圧搾部８２は、後側域Ｓ２の第２領域３１２と第３領域３１３にそれぞれ配置されており、吸収体３０と表面シート１１とが厚み方向に圧縮されている。後側圧搾部８２は、吸収コアが配置された領域内に設けられている。後側圧搾部８２は、補助スリット４３よりも幅方向の両外側において前後方向Ｌに延びる。後側圧搾部８２は、少なくとも前後方向に延びていればよく、前後方向に平行な直線状であってもよいし、前後方向に平行でなく、前後方向に対して傾斜した曲線状であってもよい。後側圧搾部８２は、補助スリット４３よりも幅方向の外側、かつ吸収コアの外側縁よりも幅方向の内側に位置する。後側圧搾部８２は、厚み方向において補助スリット４３に重なっていない。なお、前側圧搾部８１及び後側圧搾部８２は、少なくとも吸収コアが圧搾されていればよればよい。後側圧搾部８２は、吸収コア３１及び肌面シート（表面シート１１）が肌対向面側Ｔ１から非肌対向面側Ｔ２に向かって圧縮されることによって形成される。
【００４１】
ヒップフラップ圧搾部８３は、後側域Ｓ２に配置されており、サイドシート１２と非肌面シート２０とが厚み方向に圧縮されている。ヒップフラップ圧搾部８３は、ヒップフラップに設けられている。ヒップフラップ圧搾部８３は、前後方向に延びる。ヒップフラップ圧搾部８３は、幅方向Ｗの外側に向かって突出する凸形状である。
【００４２】
吸収性物品１は、ウイング３と、ヒップフラップ４と、を有する。ウイング３及びヒップフラップ４は、排泄口当接域Ｓ１の吸収コア３１の外側縁３１Ｅよりも幅方向の外側に延出している。
【００４３】
ウイング３は、サイドシート１２と、非肌面シート２０と、を有する。ウイング３の前後方向の中心３ＬＣは、着用者の排泄口に対向して配置される。ウイング３は、非肌面シート２０側に折り返し可能に構成されており、使用時に下着のクロッチ部の非肌対向面側に折り返される。ヒップフラップ４は、ウイング３の後側に位置し、後側域Ｓ２に設けられている。ヒップフラップ４は、使用時に下着の非肌対向面側に折り返されずに下着の肌対向面側に配置されるように構成されている。なお、ウイング３及びヒップフラップ４には、吸収材料が配置されていてもよい。
【００４４】
図２に示すように、非肌面シート２０の非肌対向面には、吸収性物品を下着Ｓに止めるための粘着剤が塗布された粘着領域６０が設けられている。粘着領域６０は、吸収コア３１の非肌対向面側に配置された第１本体粘着領域６１及び第２本体粘着領域６２と、ウイング３に配置されたウイング粘着領域６３と、ヒップフラップ４に配置されたヒップフラップ粘着領域６４と、を有する。
【００４５】
第１本体粘着領域６１は、第２本体粘着領域６２と前後方向に離間しており、第２本体粘着領域６２よりも前方に配置されている。第１本体粘着領域６１は、幅スリット４１よりも前側において、排泄口当接域Ｓ１と前側域Ｓ３に跨って配置されている。第２本体粘着領域６２は、幅スリット４１よりも後側において、後側域Ｓ２に配置されている。
【００４６】
幅スリット４１及び前後スリット４２は、厚み方向Ｔにおいて粘着領域６０に重なっていない。換言すると、平面視にて幅スリット４１及び前後スリットが配置された領域には、粘着領域６０が設けられていない。また、ウイング３及びヒップフラップ４には、粘着領域６０が設けられている。
【００４７】
粘着領域６０は、使用前の状態において、剥離シート６５によって覆われている。剥離シート６５は、使用前に接着剤が劣化するのを防止している。剥離シート６５は、使用時に着用者によって剥離される。なお、剥離シートを有しない吸収性物品においては、吸収性物品を個別に包装する包装シートによって使用前に接着領域が劣化するのを防止するように構成されていてもよい。
【００４８】
本明細書における「吸収体の厚さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００４９】
測定位置は、吸収体の幅方向中央部とする。測定する際は、吸収性物品が縮んだ状態ではなく、吸収性物品の伸縮性部材を伸張させた状態として測定する。また、吸収体以外の肌面シート及び非肌面シート等、吸収体以外の部分を取り除く。尾崎製作所（株）製のダイアルゲージ ＰＥＡＣＯＣＫを使用し、測定子には直径１０ｍｍのものを採用し、大きさが３０ｍｍ×３０ｍｍの試片を用意して、当該試片の厚みを測定する。測定器は、試片に対する測定圧が３ｇ／ｃｍ２となるように調整する。ここで、１０サンプルに対して、それぞれの状態で上述の測定を行い、その平均値を、長さとした。
【００５０】
なお、本明細書における「吸収体の目付及び密度」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００５１】
包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００５２】
また、本明細書における「長さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００５３】
次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００５４】
（２）作用・効果
本実施の形態の吸収性物品１は、後側域Ｓ２の幅方向の中央に設けられた前後スリット４２が第１曲部として着用者側に隆起する。前後スリット４２によって、排泄口当接域Ｓ１の後方に位置する後側域Ｓ２において、着用者の臀部間の隙間に吸収コア３１をフィットさせることができる。また、本実施の形態の吸収性物品１は、第２曲部としての補助スリット４３によって幅方向に延びる変形基点が形成される。後側域Ｓ２の吸収コア３１は、補助スリット４３を基点に変形でき、身体の前後方向Ｌに沿った断面における身体の丸みに沿って配置され易くなる。
【００５５】
図４は、吸収性物品１が着用者に装着された状態の断面図である。図４（ａ）は、排泄口当接域Ｓ１における幅方向に沿った断面図であり、図４（ｂ）は、後側域Ｓ２における幅方向に沿った断面図である。図４（ａ）は、図１のＢ−Ｂ断面を基準としており、図４（ｂ）は、図１のＣ−Ｃ断面を基準としている。図４において、着用者の身体を示すラインを二点鎖線で示す。生理用ナプキンとしての吸収性物品１を着用する際は、吸収性物品を下着Ｓに止着し、当該下着を引き上げて着用する。一般的な生理用ナプキンの吸収コアの幅方向の寸法は、着用者の股間の幅方向の寸法よりも広く設計されている。そのため、着用された状態の吸収性物品１の排泄口当接域Ｓ１は、装着者の両足によって挟まれ、幅方向の外側から幅方向の内側に向かう力を受ける。
【００５６】
吸収コア３１の幅方向Ｗに沿った着用者の身体の断面形状は、股下近傍と臀部近傍とで異なる。具体的には、着用者の股下の陰裂(経血が出る膣口あたり)近辺の幅方向に沿った身体の断面形状は、大陰唇が大腿の付け根よりも出っ張っており、吸収性物品側に突出する凸形状である。この着用者の股下域に、吸収性物品の排泄口当接域Ｓ１が対向して配置される。吸収性物品１は、下着Ｓに装着され、かつ着用者に着用された状態で、排泄口当接域Ｓ１の吸収コアが大陰唇の出っ張りに押し下げられ、非肌対向面側に隆起するように変形する。着用者の股下においては、排泄口当接域Ｓ１の吸収コアが身体に沿って配置され、股下における漏れを抑制できる。
【００５７】
また、着用者の大陰唇より後方に位置する会陰部よりも後方には、肛門や臀裂が位置する。この会陰部よりも後方近辺の幅方向に沿った身体の断面形状は、幅方向の中心が窪んだ形状である。この着用者の臀部に、吸収性物品の後側域Ｓ２が対向して配置される。例えば、夜用の生理用ナプキンは、仰向けの寝姿勢で使用されることが多い。漏れの大半は、一回に多量に経血が排出されて、膣口の直下における経血の吸収が間に合わなかった場合や、膣口の直下に位置する吸収体が身体にフィットしていなかった場合に、臀部より窪んだ部分に経血が流れ込み、当該経血が身体を伝って漏れるものである。身体の臀部と吸収性物品の間に隙間が生じていると、特に夜用の生理用ナプキンおいて、経血が身体を伝わって背側後方に伝わり流れ、吸収性物品の後ろから漏れてしまうおそれがある。
【００５８】
本実施の形態の吸収性物品は、後側域Ｓ２において吸収コア３１の側部が左右の臀部によって押し下げされる。よって、後側域の吸収コアの幅方向の側部には、後側域の吸収コア３１の幅方向の中央よりも力がかかる。吸収コアの側部が左右の臀部によって押し下げされると、後側域の吸収体の幅方向の中央は、前後スリットを頂点として着用者側に隆起する。よって、後側域Ｓ２の吸収コア３１の幅方向の中央が臀部間の窪みに配置され易く、より着用者の臀部に沿って吸収コア３１を配置できる。その結果、経血等の体液が身体を伝わって背側後方に伝わり流れ、吸収性物品の後ろから漏れることを防止できる。
【００５９】
また、後側域Ｓ２の吸収コア３１の幅方向の中央は、厚み方向に貫通する前後スリット４２が形成され、実質的に吸収材料が配置されていない。よって、隆起する部分、特に頂点の厚みが薄くなる。また、前後スリット４２に吸収材料が配置されていると、当該吸収材料の剛性によって吸収コア３１が平坦な状態を維持し易く、前後スリット４２を基点に吸収コア３１が折れ曲がり難くなることがある。しかし、前後スリット４２には、実質的に吸収材料が配置されていないため、当該前後スリット４２を基点に吸収コア３１が折れた状態を維持し易い。よって、着用者の臀部間の隙間に吸収性物品１をより密着して配置でき、臀部における漏れを抑制できる。
【００６０】
図５は、吸収性物品１が着用者に装着された状態の断面図である。図５は、図１に示すＡ−Ａ断面を基準とした、身体の前後方向Ｌに沿った断面図である。図５において、着用者の身体を示すラインを二点鎖線で示す。吸収性物品１には、補助スリット４３によって幅方向に延びる変形基点が形成される。後側域Ｓ２の吸収コア３１は、補助スリット４３を基点に変形でき、身体の前後方向Ｌに沿った断面における身体の丸みに沿って配置され易くなる。加えて、後側域Ｓ２の吸収コア３１が身体の前後方向に沿ってフィットする際に、補助スリット４３の幅が適宜変化することにより、補助スリット４３を挟んで前後方向に隣接する吸収コア３１間の距離が変化する。よって、身体の前後方向沿った断面における身体の丸みに沿って吸収コア３１を配置し易くなる。
【００６１】
後側域Ｓ２の吸収コア３１が前後スリット４２を頂点として隆起すると、隆起した吸収コア３１は、前後方向Ｌにおける曲げ剛性が増加する。よって、身体の前後方向Ｌに沿って吸収コア３１が配置され難くなることがある。しかし、補助スリット４３が設けられているため、当該補助スリット４３によって吸収コア３１の剛性を低下させ、臀部の丸み沿った吸収コア３１の変形を促すことができる。
【００６２】
また、補助スリット４３の外側縁４３Ｅが吸収コア３１の外側縁３１Ｅに到達していると、臀部の隙間の中心に当る部位から吸収コア３１の外側縁に至る領域において、吸収コア３１が平坦に延び、吸収コア３１の外側縁３１Ｅが臀部の幅方向の側部（臀部の頂点よりも幅方向の外側）を覆うことができないことがある。しかし、補助スリット４３の外側縁４３Ｅが吸収コア３１の外側縁３１Ｅよりも幅方向の内側に位置するため、吸収コア３１が前後方向Ｌに分断しない。また、補助スリット４３を基点として変形する際に、補助スリット４３よりも幅方向の外側に配置された吸収コア３１が支点となる。よって、吸収コア３１は、前後方向Ｌに沿った身体の丸みに沿って変形する際に、前後方向Ｌに連続した状態で変形できる。よって、後側域Ｓ２の吸収コア３１が、臀部の側部を包み込むカップ形状となり易く、臀部からの漏れを効果的に抑制できる。
【００６３】
加えて、前後スリット４２によって、後側域Ｓ２の吸収コア３１を左右で別々に変形させ、また、後側域Ｓ２の吸収コア３１を左右で別々に身体の動きに追従させることができる。例えば、着用者が歩行する際は、左右の足を交互に動かす。この脚の動きに伴って臀部も左右交互に動く。例えば、後側域Ｓ２の吸収コア３１の幅方向全域が一体化して移動すると、脚の交互の動きによって後側域Ｓ２の吸収コア３１全体が左右に移動し、臀部におけるフィット感が安定しないことがある。しかし、後側域Ｓ２の吸収コア３１が前後スリット４２によって左右に分断されていることにより、脚の交互の動きによって、前後スリット４２を挟んだ片方ずつの吸収コア３１が移動する。よって、前後スリット４２を挟んだ片方の吸収コア３１を身体の動きに追従して移動させ、他方の吸収コア３１を身体にフィットさせ続けることができる。更に、後側域Ｓ２の吸収コアを安定して臀部にフィットさせ続けることにより、着用者の臀部と吸収性物品がこすれることを抑制し、皮膚のすれによる装着感の悪化を抑制できる。
【００６４】
吸収コア３１は、排泄口当接域Ｓ１と後側域Ｓ２の間において幅方向Ｗに延びる幅スリット４１が設けられていてもよい。排泄口当接域Ｓ１と後側域Ｓ２の間に幅スリット４１が設けられているため、幅スリット４１によって吸収コア３１の変形が吸収コア３１の前後方向全域に伝播することを抑制し、排泄口当接域Ｓ１の吸収コア３１と後側域Ｓ２の吸収コア３１とを異なる態様で変形させることができる。
【００６５】
上述のように、吸収コア３１の幅方向Ｗに沿った着用者の身体の断面形状は、股下近傍と臀部近傍とで異なる。排泄口当接域Ｓ１の吸収コア３１は、着用者の大陰唇の出っ張りに押し下げられ、非肌対向面側に隆起するように変形する。この排泄口当接域Ｓ１の吸収コア３１の変形は、幅スリット４１に至るまでの領域で後方に伝播する。しかし、排泄口当接域Ｓ１の吸収コアの変形は、幅スリット４１によって分断され、後側域Ｓ２の吸収コア３１に伝播し難い。後側域Ｓ２の吸収コア３１は、着用者側に隆起し、左右の臀部間の隙間に配置される。よって、着用者の臀部においては、後側域Ｓ２の吸収コア３１が身体に沿って配置され、臀部における漏れを抑制できる。
【００６６】
補助スリット４３は、前後方向Ｌに間隔を空けて複数設けられていてもよい。着用者の身体の前後方向の断面形状は、丸みを帯びた形状である。後側域Ｓ２の吸収コア３１に複数の補助スリット４３が形成されていることにより、前後方向Ｌに離間した複数の補助スリット４３を基点に後側域Ｓ２の吸収コア３１が変形し易くなる。よって、後側域Ｓ２の吸収コア３１は、身体の丸みに沿いつつ臀部の隙間にフィットして配置される。
【００６７】
なお、本実施の形態の吸収コア３１には、図３に示すように、前側から、第１補助スリット４３１、第２補助スリット４３２、第３補助スリット４３３及び第４補助スリット４３４が設けられている。第２補助スリット４３２は、仰向けで寝たときに臀部に押圧されて、平面状態を維持し易い。第２補助スリット４３２は、臀部に押圧された力を分断し、第２補助スリット４３２よりも前側の第１補助スリット４３１を臀部と脚側の付け根との間の膨らみに沿って配置できる。また、第３補助スリット４３３は、寝姿勢以外の状態（例えば、立位姿勢）で、身体の横から見たときの曲線形状が大きく変局する臀部に当たる位置に配置される。第３補助スリット４３３を基点として吸収コア３１が変形し易くなり、曲線形状が大きく変曲する臀部に当たる部分に沿って吸収コア３１を配置できる。
【００６８】
また、第１補助スリット４３１及び第４補助スリット４３４は、吸収性物品を幅方向に沿った折り目を基点に折り畳む際の折り目に当たる位置に配置される。折り目に当たる位置に補助スリット４３が配置されているため、補助スリット４３によって剛性が低く、吸収性物品を安定して折ることができる。また、吸収性物品を展開した（使用する）際には、折り目による折り癖が付き難くなるため、吸収性物品を意図した状態で変形させ易い。具体的には、吸収性物品を臀部間の隙間にフィットさせて配置し易い。更に、例えば、吸収性物品の折り目に補助スリット等のスリットが設けられていない構成にあっては、後側域の吸収コアには、幅方向に延びる比較的強い折り癖が存在することとなる。そのため、吸収性物品が身体の腹側から背側に向けて柔軟にフィットし難くなり、身体と吸収性物品と隙間によって、漏れが生じ易くなる。一方、吸収性物品の折り目に補助スリット４３が設けられていることによって折り癖が残り難くなり、補助スリット４３の位置において身体に吸収性物品をフィットさせることが可能になる。
【００６９】
補助スリット４３は、前後スリット４２から幅方向の外側に向かうにつれて前側に延びていてもよい。後側域Ｓ２の吸収コア３１は、前側よりも後側の方が臀部によって押圧されるため、後側から前側に向かって力が掛かる。補助スリット４３が前後スリット４２から幅方向の外側に向かうにつれて前方に延びるため、後方から前側に向かう力を補助スリット４３によって、幅方向の外側に逃がしつつ前側に逃がすことができる。補助スリット４３が後方から前側に向かう力を逃がしつつ、当該力に沿って変形し易くなり、より臀部に沿って吸収コア３１を配置できる。
【００７０】
厚み方向において前後スリット４２に重なる領域の肌面シート１０と非肌面シート２０の間には、吸収材料が配置されていなくてもよい。前後スリット４２に重なる領域に吸収材料が配置されていないため、前後スリット４２によって隆起する頂点の厚みがより薄くなる。よって、着用者の臀部間の隙間に吸収性物品をよりフィットさせて配置でき、臀部における漏れを抑制できる。
【００７１】
前後スリット４２は、厚み方向Ｔにおいて粘着領域６０に重ならなくてもよい。前後スリット４２が厚み方向において粘着領域に重なっていないことにより、前後スリット４２の変形が下着によって過度に阻害されることを抑制し、前後スリット４２を基点に吸収コア３１が変形し易くなる。
【００７２】
後側域Ｓ２には、排泄口当接域Ｓ１の吸収コア３１の外側縁３１Ｅよりも幅方向の外側に延出するヒップフラップ４が設けられていてもよい。後側域Ｓ２にヒップフラップ４が設けられていることにより、着用時に吸収コア３１の側部（第２領域及び第３領域）のみならず、ヒップフラップ４が押し下げされる。よって、前後スリット４２を頂点として吸収コア３１が更に隆起し易くなる。よって、着用者の臀部に沿って吸収コア３１を配置し、臀部における漏れを抑制する効果をより得易くなる。
【００７３】
ヒップフラップ４には、幅方向Ｗの外側に向かって突出する凸形状のヒップフラップ圧搾部８３が設けられていてもよい。ヒップフラップ圧搾部８３が設けられていることにより、臀部の丸みに沿ってヒップフラップ４が変形し易くなり、臀部の丸みを覆うようにヒップフラップ４を配置できる。よって、臀部における漏れを更に抑制できる。
【００７４】
排泄口当接域Ｓ１は、吸収コア３１の外側縁３１Ｅよりも幅方向の内側に位置する中高部３３を有していてもよい。排泄口当接域Ｓ１に中高部３３が設けられていることにより、排泄口当接域Ｓ１の幅方向の中央（吸収コア３１の外側縁３１Ｅよりも幅方向の内側）において、着用者に吸収コアが密着し易くなる。よって、図４（ａ）に示す断面図に示すように、排泄口当接域Ｓ１における密着性を高めることができる。その結果、後側域Ｓ２における吸収性物品のフィット性と、排泄口当接域Ｓ１における吸収性物品のフィット性と、を実現できる。
【００７５】
（３）その他の実施形態
本実施の形態の吸収性物品は、下着に装着される夜用の生理用ナプキンであるが、他の実施形態として、おむつに装着される尿取パッド等の吸収パッドであってもよい。
【００７６】
また、本実施の形態の幅スリット４１、前後スリット４２、及び補助スリット４３は、設計上の目付が０であるが、幅スリット４１、前後スリット４２、及び補助スリット４３は、周囲の吸収コアよりも目付が低い低目付領域であってもよい。また、補助スリット４３は、少なくとも幅方向に延びていればよく、曲線上であってもよいし、平面視にて菱形の形状であってもよいし、平面視にて逆三角形状（後側に向かう頂点を有する形状）であってもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
１        ：吸収性物品
３        ：ウイング
４        ：ヒップフラップ
１０      ：肌面シート
１１      ：表面シート
１２      ：サイドシート
２０      ：非肌面シート
３０      ：吸収体
３１      ：吸収コア
３１Ｅ    ：吸収コアの外側縁
３１１      ：第１領域
３１２      ：第２領域
３１３      ：第３領域
３２      ：コアラップ
４１      ：幅スリット
４２      ：前後スリット（第１曲部）
４３      ：補助スリット（第２曲部）
６０      ：粘着領域
６１      ：第１本体粘着領域
６２      ：第２本体粘着領域
６３      ：ウイング粘着領域
６４      ：ヒップフラップ粘着領域
８０      ：圧搾部
８１      ：排泄口圧搾部
８２      ：後側圧搾部
８３      ：ヒップフラップ圧搾部
Ｌ        ：前後方向
Ｔ        ：厚み方向
Ｔ１      ：肌対向面側
Ｔ２      ：非肌対向面側
Ｗ        ：幅方向
Ｓ１      ：排泄口当接域
Ｓ２      ：後側域
Ｓ３      ：前側域
【図１】
0006456137.tif 000002
【図２】
0006456137.tif 000003
【図３】
0006456137.tif 000004
【図４】
0006456137.tif 000005
【図５】
0006456137.tif 000006